(57)【要約】  【課題】  この発明の課題は、操作者の原稿セット方向を画像から認識することにより、書籍の天地を認識し、その読取った頁の画像切出しを行い、書籍の天地を確実に認識して、常に一様な画像を出力できる画像読取装置を提供することにある。  【解決手段】  書籍等の読取り原稿と接触する透明板と、この透明板の背面に沿って走行する読取ユニットとを備え、その透明板と接触する頁を読取る画像読取装置において、前記透明板は、前記画像読取装置が読取りを許容する書籍の綴じ代幅よりも大きく設定した読取り領域を備え、前記透明板と接触する書籍等の読取り原稿の状態によりその書籍等の読取り原稿を読取った読取り領域画像から前記透明板に接触する頁領域を識別しその頁領域画像を読取り領域画像から切出すように制御する。【選択図】            図１
2006254073.tif 000002
【特許請求の範囲】
【請求項１】
書籍等の読取り原稿と接触する透明板と、この透明板の背面に沿って走行する読取ユニットとを備え、その透明板と接触する頁を読取る画像読取装置において、
前記透明板は、前記画像読取装置が読取りを許容する書籍の綴じ代幅よりも大きく設定した読取り領域を備え、
前記透明板と接触する書籍等の読取り原稿の状態によりその書籍等の読取り原稿を読取った読取り領域画像から前記透明板に接触する頁領域を識別しその頁領域画像を読取り領域画像から切出すように制御する、
ことを特徴とした、画像読取装置。
【請求項２】
前記画像読取装置において、
前記透明板は、その透明板と接触する書籍等の読取り原稿の天部を当接する突当部を走査方向の起点側と終点側とに備え、
前記書籍等の読取り原稿の天部を前記起点側の突当部に当接又は寄せる場合は、前記書籍等の読取り原稿を読取った読取り領域画像の黒画像部分をカットして頁領域画像を出力し、前記書籍等の読取り原稿の天部を前記終点側の突当部に当接又は寄せる場合は、前記書籍等の読取り原稿を読取った読取り領域画像の黒画像部分をカットするとともに頁領域画像を反転して出力する、
ことを特徴とした、請求項１記載の画像読取装置。
【請求項３】
前記画像読取装置において、
前記透明板の両端にその透明板と接触する書籍等の読取り原稿の天部の位置を検出する検出手段を備え、
前記検出手段が検出する前記書籍等の読取り原稿の天部の位置情報に基づいて前記書籍等の読取り原稿を読取った読取り領域画像から前記透明板に接触する頁領域を識別しその頁領域画像を読取り領域画像から切出すように制御する、
ことを特徴とした、請求項１記載の画像読取装置。
【請求項４】
前記画像読取装置において、
前記検出手段は、前記透明板と接触する書籍等の読取り原稿の天部の位置を検出した後に読取り開始を指示する、
ことを特徴とした、請求項４記載の画像読取装置。
【発明の詳細な説明】
【技術分野】
【０００１】
この発明は、一辺を綴じられた書籍等の読取り原稿を光学的走査によって読取る画像読取装置に関し、特に書籍を読取る場合に読取り操作性を向上させることを可能にする画像読取装置に関するものである。
【背景技術】
【０００２】
従来の画像読取装置に比較して設置面積を小さくし、かつ設置場所を自由に選択することができ、かつ一辺を綴じられた書籍の頁を読むのに好適な画像読取装置が提案されている。
【０００３】
この従来の画像読取装置は、筐体を縦長の断面とする筒形で形成し、前記筐体の前面に読取り原稿と接触する透明板を備え、この透明板の背面に沿って前記筐体の筒軸方向（副走査方向）に走行する読取ユニットを備えた画像読取装置であって、書籍等の読取り原稿を僅か開いた状態で筐体に跨らせることにより、その透明板と接触する頁を読み取ることができるので、設置面積を小さくし、かつ設置場所を自由に選択することができ、かつ一辺を綴じられた書籍の頁を読むのに好適な画像読取装置である。
【０００４】
一方、書籍等の読取り原稿を開いた状態で装置の筐体に跨らせることにより、その透明板側の頁を読み取る場合に、文章等が記載される方向は見開き状態において対向する頁では逆方向となる。このため、読取り開始位置を選択的に指示する２個のスイッチを設けている。
（特許文献１を参照）
【０００５】
また、書籍に特定した画像処理によって書籍の天地を認識する技術が開示されており、文字データから書籍の天地を認識する技術（特許文献２を参照）、見開き２頁分の画像データから書籍の天地を認識する技術（特許文献３を参照）等が知られている。
【０００６】
【特許文献１】特願２００４−３２９１３１号公報
【特許文献２】特開２０００−０５９６０２号公報
【特許文献３】特開２０００−０８３１４１号公報
【発明の開示】
【発明が解決しようとする課題】
【０００７】
前記のごとく、従来の技術では次のような問題点がある。
【０００８】
読取り開始位置を選択的に指示する２個のスイッチを設ける画像読取装置では、操作者は書籍の天地を認識するとともに、その天地に対応する読取り開始位置を２個のスイッチの内のいずれかを選択し、さらにスイッチを押下して読取り開始を指示する必要がある。このため、操作者に煩わしい読取り操作を求めるものである。また、上述した画像処理によって書籍の天地を認識する技術では、例えば文字方向が混在する場合等は、書籍の天地認識に誤りを生じやすくするものである。
【０００９】
この発明の課題は、操作者の原稿セット方向を画像から認識することにより、書籍の天地を認識し、その読取った頁の画像切出しを行い、例えば文字方向が混在する場合等においても、書籍の天地を確実に認識して、常に一様な画像を出力できる画像読取装置を提供することにある。
【課題を解決するための手段】
【００１０】
前記の問題点を解決するために、この発明では次に示す手段を取った。
【００１１】
本発明の画像読取装置は、
書籍等の読取り原稿と接触する透明板と、この透明板の背面に沿って走行する読取ユニットとを備え、その透明板と接触する頁を読取る画像読取装置において、
前記透明板は、前記画像読取装置が読取りを許容する書籍の綴じ代幅よりも大きく設定した読取り領域を備え、
前記透明板と接触する書籍等の読取り原稿の状態によりその書籍等の読取り原稿を読取った読取り領域画像から前記透明板に接触する頁領域を識別しその頁領域画像を読取り領域画像から切出すように制御することを特徴とする。
【００１２】
また、前記画像読取装置において、
前記透明板は、その透明板と接触する書籍等の読取り原稿の天部を当接する突当部を走査方向の起点側と終点側とに備え、
前記書籍等の読取り原稿の天部を前記起点側の突当部に当接又は寄せる場合は、前記書籍等の読取り原稿を読取った読取り領域画像の黒画像部分をカットして頁領域画像を出力し、前記書籍等の読取り原稿の天部を前記終点側の突当部に当接又は寄せる場合は、前記書籍等の読取り原稿を読取った読取り領域画像の黒画像部分をカットするとともに頁領域画像を反転して出力することを特徴とする。
【００１３】
また、前記画像読取装置において、
前記透明板の両端にその透明板と接触する書籍等の読取り原稿の天部の位置を検出する検出手段を備え、
前記検出手段が検出する前記書籍等の読取り原稿の天部の位置情報に基づいて前記書籍等の読取り原稿を読取った読取り領域画像から前記透明板に接触する頁領域を識別しその頁領域画像を読取り領域画像から切出すように制御することを特徴とする。
【００１４】
また、前記画像読取装置において、
前記検出手段は、前記透明板と接触する書籍等の読取り原稿の天部の位置を検出した後に読取り開始を指示することを特徴とする。
【発明の効果】
【００１５】
この発明により、以下に示すような効果が期待できる。
【００１６】
本発明の画像読取装置によれば、透明板と接触する書籍の状態によりその書籍を読取った読取り領域画像から頁領域を識別し、その頁領域画像を読取り領域画像から切出すので、例えば文字方向が混在する場合等においても、書籍の天地を確実に認識することができるから、常に一様な画像をユーザに提供することができる。
【００１７】
さらに、本発明の画像読取装置によれば、検出手段は透明板と接触する書籍の天部の位置を検出した後に読取り開始を指示することができるから、書籍を読取る場合に読取り操作性を向上させることができる。
【発明を実施するための最良の形態】
【００１８】
図１ないし図１４に基づいて、この発明を実施するための最良の形態を説明する。
【００１９】
図１は、この発明の画像読取装置の斜視図である。図１において、画像読取装置１の筐体は縦長の断面とする筒形で形成し、筐体の前面には読取り原稿と接触する透明板２を備えている。なお、図示していないが、この画像読取装置１は、読取ユニットを備えており、当該読取ユニットは前記の透明板２の背面に沿って筐体の筒軸方向すなわち副走査方向に走行するように構成している。また、前記の画像読取装置１は、その両側面に読取り開始を指示するスイッチ１４を設けている。
【００２０】
前記透明板２は、上辺２ａ及び下辺２ｂを形成する幅方向すなわち副走査方向の寸法をＭとし、縦方向すなわち主走査方向の寸法をＮとした場場合に、副走査方向の寸法Ｍと主走査方向の寸法Ｎとによって読取り領域を形成している。なお、Ｍの寸法は、当該画像読取装置１が読取りを許容する各種の書籍の内で最も大きい綴じ代幅Ｌ（図２参照）よりも大きく設定している。例えば、Ａ４サイズまでを読取ることを許容する場合において、Ｍ＞２９７ｍｍ、Ｎ＝２１０ｍｍに設定する。すなわち、画像読取装置１が備える読取り領域は、当該画像読取装置１が読取りを許容する書籍の綴じ代幅よりも大きく設定した読取り領域を備えている。
【００２１】
また、前記透明板２は、前記筐体の上辺１ａに跨らせ、前記透明板と接触する書籍の天部（図２参照）を当接する突当部１ｃ、１ｄを透明板２と筐体との境界部に設けている。すなわち、突当部１ｃは読取り領域における副走査方向の起点側に備えており、突当部１ｄは読取り領域における副走査方向の終点側に備えている。
【００２２】
図３及び図４に示すように、書籍２０を読取る場合は、書籍２０を僅か開いた状態で前記筐体に跨らせ、書籍２０を画像読取装置１の上辺１ａと透明板２とに押し当てるようにして透明板２と接触する頁を読取る。なお、その際、図２に示す前記書籍２０のＡ面を読取る場合は、前記書籍２０の天部２０ａを前記起点側の突当部１ｃに当接するか、あるいは突当部１ｃに寄せて読取る。また、図２に示す前記書籍２０のＢ面を読取る場合は、前記書籍２０の天部２０ｂを前記終点側の突当部１ｄに当接するか、あるいは突当部１ｄに寄せて読取る。
【００２３】
この発明の画像読取装置の書籍を読取った画像処理について説明する。
【００２４】
図５は、前述の図２に示す書籍２０のＡ面を読取る時に、書籍２０の天部２０ａを起点側の突当部１ｃに当接して読取った場合の画像処理の説明図である。同図において、前記書籍２０を読取った読取り領域画像の黒画像部分をカットして頁領域画像を出力する。すなわち、副走査方向のＸが黒い場合、Ｘ、Ｙの領域をカットしてそのまま頁領域画像として出力する。
【００２５】
図６は、前述の図２に示す書籍２０のＢ面を読取る時に、書籍２０の天部２０ｂを終点側の突当部１ｄに当接して読取った場合の画像処理の説明図である。同図において、前記書籍２０を読取った読取り領域画像の黒画像部分をカットするとともに頁領域画像を反転して出力する。すなわち、副走査方向のＸ１が黒い場合、Ｘ１、Ｙ１の領域をカットするとともに画像を１８０度回転して頁領域画像として出力する。
【００２６】
図７は、前述の図２に示す書籍２０のＡ面を読取る時に、書籍２０の天部２０ａを起点側の突当部１ｃに寄せて読取った場合の画像処理の説明図である。同図において、前記書籍２０を読取った読取り領域画像の黒画像部分をカットして頁領域画像を出力する。すなわち、副走査方向の黒部分においてＺ１＜Ｚ２の場合、黒枠の領域をカットしてそのまま頁領域画像として出力する。
【００２７】
図８は、前述の図２に示す書籍２０のＢ面を読取る時に、書籍２０の天部２０ｂを終点側の突当部１ｄに寄せて読取った場合の画像処理の説明図である。同図において、前記書籍２０を読取った読取り領域画像の黒画像部分をカットするとともに頁領域画像を反転して出力する。すなわち、副走査方向の黒部分においてＺ３＞Ｚ４の場合、黒枠の領域をカットするとともに画像を１８０度回転して頁領域画像として出力する。
【００２８】
図９は、この発明の画像読取装置の書籍を読み取る説明図である。同図において、この発明の画像読取装置は、フラットベッド形態での読取りも可能で、画像読取装置１の上辺１ａを手前側になるように設置している。書籍２０を読取る場合は、書籍２０を見開き状態にして画像読取装置１の上辺１ａと透明板２とに押し当てるようにして透明板２と接触する頁を読取る。その際は前述と同様に、図２に示す前記書籍２０のＡ面を読取る場合は、前記書籍２０の天部２０ａを前記起点側の突当部１ｃに当接するか、あるいは突当部１ｃに寄せて読取る。また、図２に示す前記書籍２０のＢ面を読取る場合は、前記書籍２０の天部２０ｂを前記終点側の突当部１ｄに当接するか、あるいは突当部１ｄに寄せて読取る。なお、書籍を読取った画像処理については、前述の図５ないし図８で説明した画像処理と同様である。
【００２９】
次に、他の実施例について説明する。
【００３０】
図１０は、この発明の画像読取装置の斜視図である。図１０において、画像読取装置１の筐体は縦長の断面とする筒形で形成し、筐体の前面には読取り原稿と接触する透明板２を備えている。なお、図示していないが、この画像読取装置１は、読取ユニットを備えており、当該読取ユニットは前記の透明板２の背面に沿って筐体の筒軸方向すなわち副走査方向に走行するように構成している。
【００３１】
前記透明板２は、上辺２ａ及び下辺２ｂを形成する幅方向すなわち副走査方向の寸法をＭとし、縦方向すなわち主走査方向の寸法をＮとした場場合に、副走査方向の寸法Ｍと主走査方向の寸法Ｎとによって読取り領域を形成している。なお、Ｍの寸法は、当該画像読取装置１が読取りを許容する各種の書籍の内で最も大きい綴じ代幅Ｌ（図２参照）よりも大きく設定している。すなわち、画像読取装置１が備える読取り領域は、当該画像読取装置１が読取りを許容する書籍の綴じ代幅よりも大きく設定した読取り領域を備えている。
【００３２】
また、前記透明板２は、前記筐体の上辺１ａに跨らせた書籍の天部（図２参照）を当接し書籍の天部の位置を検出するスイッチ１６ａ、１６ｂを透明板２と筐体との境界部に設けている。すなわち、スイッチ１６ａは読取り領域における副走査方向の起点側に備えており、前記書籍２０のＡ面を読取る場合に、前記書籍２０の天部２０ａを検出する。スイッチ１６ｂは読取り領域における副走査方向の終点側に備えており、前記書籍２０のＢ面を読取る場合に、前記書籍２０の天部２０ｂを検出する。
【００３３】
なお、図１１に示すように、前記のスイッチ１６ａ、１６ｂに変えて、センサ１７ａ、１６ｂを設けてもよい。図１２に示すように、センサ１７は反射型のセンサであり、透明板２の背面に位置するフレーム１ｅに設けられ、投光した光を透明板２と接触する頁で反射した光を受光することで、筐体に跨らせた書籍の天部２０ａ又は天部２０ｂの位置を検出する。
【００３４】
また、前記画像読取装置において、スイッチ１６ａ、１６ｂ又は、センサ１７ａ、１７ｂは、前記筐体に跨らせた書籍２０の天部の位置を検出した後に読取り開始を指示することができる。読取り開始動作としては、スイッチ１６ａ、１６ｂ又は、センサ１７ａ、１７ｂが書籍２０の天部の位置を感知してからある一定の時間を継続したと判断された場合に、読取り開始動作を行うように制御すると確実な読取りが行える。
【００３５】
図１０及び図１１に示す画像読取装置の書籍を読取った画像処理は、前述の図５及び図６と同様である。つまり、前述の図２に示す書籍２０のＡ面を読取る時に、書籍２０の天部２０ａを起点側のスイッチ１６ａに当接して読取った場合、あるいは書籍２０の天部２０ａを起点側のセンサ１７ａが検出した場合は、図５において、前記書籍２０を読取った読取り領域画像の黒画像部分をカットして頁領域画像を出力する。すなわち、副走査方向のＸが黒い場合、Ｘ、Ｙの領域をカットしてそのまま頁領域画像として出力する。
【００３６】
前述の図２に示す書籍２０のＢ面を読取る時に、書籍２０の天部２０ｂを終点側のスイッチ１６ｂに当接して読取った場合、あるいは書籍２０の天部２０ｂを終点側のセンサ１７ｂが検出した場合は、図６において、前記書籍２０を読取った読取り領域画像の黒画像部分をカットするとともに頁領域画像を反転して出力する。すなわち、副走査方向のＸ１が黒い場合、Ｘ１、Ｙ１の領域をカットするとともに画像を１８０度回転して頁領域画像として出力する。
【００３７】
また、センサ１７ａが書籍２０の天部２０ａ近傍を検出した場合は、図７に示すように、副走査方向の黒部分においてＺ１＜Ｚ２の場合、黒枠の領域をカットしてそのまま頁領域画像として出力する。一方、センサ１７ｂが書籍２０の天部２０ｂ近傍を検出した場合は、図８に示すように、副走査方向の黒部分においてＺ３＞Ｚ４の場合、黒枠の領域をカットするとともに画像を１８０度回転して頁領域画像として出力する。
【００３８】
次に、別の他の実施例について説明する。
【００３９】
図１３は、この発明の画像読取装置の斜視図である。同図において、読取りユニットは双方向読取り可能に構成する。そして、前記透明板２と接触する書籍２０の天部（図２参照）を当接し、書籍２０の天部の位置を検出するスイッチ１６ｃ、１６ｄを読取り領域における副走査方向の起点側に備えている。スイッチ１６ｃは前記書籍２０のＡ面を読取る場合に、前記書籍２０の天部２０ａを検出する。スイッチ１６ｄは前記書籍２０のＢ面を読取る場合に、前記書籍２０の天部２０ｂを検出する。
【００４０】
この場合の画像読取装置の書籍を読取った画像処理は、図１４に示すように、前述の図２に示す書籍２０のＢ面を読取る時は、前記書籍２０を読取った読取り領域画像の黒画像部分をカットするとともに頁領域画像を反転して出力する。すなわち、副走査方向のＸ２が黒い場合、Ｘ２、Ｙ４の領域をカットするとともに画像を主走査方向に反転処理して頁領域画像として出力する。
【００４１】
なお、図１ないし図１４において、読取ユニットは透明板２の背面に沿って筐体の筒軸方向に走行する構成として説明したが、これに限定するものではない。すなわち、読取ユニットを筐体の筒軸方向と直交する方向に走行するように構成し、主走査方向の寸法をＭとし、副走査方向の寸法をＮとして読取り領域を形成してもよい。この場合は、突当部１ｃ、１ｄ及びスイッチ１６ａ、１６ｂ、並びにセンサ１７ａ、１７ｂを読取り領域における主走査方向の起点側と終点側とにそれぞれ備えることになる。
【図面の簡単な説明】
【００４２】
【図１】この発明の画像読取装置の斜視図である。
【図２】この発明の画像読取装置で読取られる書籍の説明図である。
【図３】この発明の画像読取装置の書籍を読み取る説明図である。
【図４】この発明の画像読取装置の書籍を読み取る説明図である。
【図５】この発明の画像読取装置の書籍を読取った画像処理の説明図である。
【図６】この発明の画像読取装置の書籍を読取った画像処理の説明図である。
【図７】この発明の画像読取装置の書籍を読取った画像処理の説明図である。
【図８】この発明の画像読取装置の書籍を読取った画像処理の説明図である。
【図９】この発明の画像読取装置の書籍を読み取る説明図である。
【図１０】この発明の画像読取装置の斜視図である。
【図１１】この発明の画像読取装置の斜視図である。
【図１２】図１１の詳細説明図である。
【図１３】この発明の画像読取装置の斜視図である。
【図１４】この発明の画像読取装置の書籍を読取った画像処理の説明図である。
【符号の説明】
【００４３】
１：画像読取装置
１ａ：上辺
１ｃ、１ｄ：突当部
２：透明板
１４：スイッチ
１６ａ、１６ｂ：スイッチ
１７ａ、１７ｂ：センサ
２０：書籍
２０ａ、２０ｂ：天部
【図１】
2006254073.tif 000003
【図２】
2006254073.tif 000004
【図３】
2006254073.tif 000005
【図４】
2006254073.tif 000006
【図９】
2006254073.tif 000007
【図５】
2006254073.tif 000008
【図６】
2006254073.tif 000009
【図７】
2006254073.tif 000010
【図８】
2006254073.tif 000011
【図１０】
2006254073.tif 000012
【図１１】
2006254073.tif 000013
【図１２】
2006254073.tif 000014
【図１３】
2006254073.tif 000015
【図１４】
2006254073.tif 000016